(57)【要約】【課題】第２コード（電源コード）31の保持体40からの離脱を強力に抑制する。【解決手段】保持体40を挟持することで該保持体40に係止される係止体48（嵌合部50）を第２コード31に設けたので、該係止体48が第２コード31を保持している保持体40を挟持することで保持体40に係止されたとき、保持体40の変形が係止体48により外側から制限され、しかも、挟持に基づく係止体48、保持体40間の結合力により、係止体48に設けられた第２コード31が保持体40を介してケース12の前短手部（連結体）14ｂに保持され、第２コード31の前短手部14ｂからの離脱が強力に抑制される。【選択図】図４
2018068214.tif 000002
【特許請求の範囲】
【請求項１】
通電されたとき発熱して水槽内の水を加熱する発熱体を内部に有し、前後方向に延びる加熱ヒーターと、水槽内の水の温度を検出する温度センサと、前記加熱ヒーターの前端部が連結され、少なくとも一部が加熱ヒーターに直交する方向に延びる連結体と、前記連結体または加熱ヒーターから引き出されるとともに屈曲可能で、前記発熱体に電力を供給する電源コードと、前記温度センサによる検出結果を基にして発熱体に対する通電を制御することで水槽内の水の温度を制御する制御手段と、前記電源コードの引き出し位置から離れた連結体の直交部に設けられ、前記電源コードを挟持することで保持することができる保持体とを備え、前記電源コードを前記連結体の直交部に沿って延びるよう屈曲させた状態で保持体により保持することができる水槽の水温制御装置において、前記保持体を挟持することで該保持体に係止される係止体を前記電源コードに設けたことを特徴とする水槽の水温制御装置。
【請求項２】
前記保持体または係止体のいずれか一方に係止突起を、保持体または係止体の残り他方に前記係止突起が挿入される係止穴を設けた請求項１記載の水槽の水温制御装置。
【請求項３】
前記係止穴は係止体に設けられた貫通孔である請求項２記載の水槽の水温制御装置。
【請求項４】
前記係止体を電源コードに停止位置が調節可能となるよう設けた請求項１〜３のいずれか一項に記載の水槽の水温制御装置。
【発明の詳細な説明】
【技術分野】
【０００１】
この発明は、観賞魚等を飼育する水槽の水温制御装置に関する。
【背景技術】
【０００２】
従来の水槽の水温制御装置としては、例えば以下の特許文献１に記載されているようなものが知られている。
【先行技術文献】
【特許文献】
【０００３】
【特許文献１】実用新案登録第３１６４９５２号公報
【０００４】
このものは、内部に密閉空間が形成された収納ケースと、先端にプラグが設けられるとともに、基端部が収納ケース内に導かれた電源コードと、収納ケースの密閉空間に収納され、電源コードを通じて通電されたとき発熱して水槽内の水を加熱する発熱体と、収納ケースの密閉空間に発熱体から離れて収納され、水槽の水の温度を基に発熱体への通電を制御する制御部と、収納ケースに取り付けられ、該収納ケースを水槽の側壁に吸着させる吸着体と、制御部から離隔した側の収納ケースの端部に設けられ、収納ケースより先端側の前記電源コードが係止可能なフックとを備えたものである。
【発明の概要】
【発明が解決しようとする課題】
【０００５】
しかしながら、このような従来の水槽の水温制御装置にあっては、フックによる電源コードの係止のみによって電源コードの収納ケースに対する延在方向を規定するようにしているため、電源コードの弾性復元力が大である場合や、電源コードに予期しない大きな外力が作用した場合には、電源コードがフックから離脱し、これにより、水槽内での収納ケースの位置、姿勢に狂いが生じてしまうという課題があった。
【０００６】
この発明は、電源コードの保持体からの離脱を強力に抑制することができる水槽の水温制御装置を提供することを目的とする。
【課題を解決するための手段】
【０００７】
このような目的は、通電されたとき発熱して水槽内の水を加熱する発熱体を内部に有し、前後方向に延びる加熱ヒーターと、水槽内の水の温度を検出する温度センサと、前記加熱ヒーターの前端部が連結され、少なくとも一部が加熱ヒーターに直交する方向に延びる連結体と、前記連結体または加熱ヒーターから引き出されるとともに屈曲可能で、前記発熱体に電力を供給する電源コードと、前記温度センサによる検出結果を基にして発熱体に対する通電を制御することで水槽内の水の温度を制御する制御手段と、前記電源コードの引き出し位置から離れた連結体の直交部に設けられ、前記電源コードを挟持することで保持することができる保持体とを備え、前記電源コードを前記連結体の直交部に沿って延びるよう屈曲させた状態で保持体により保持することができる水槽の水温制御装置において、前記保持体を挟持することで該保持体に係止される係止体を前記電源コードに設けた水槽の水温制御装置により、達成することができる。
【発明の効果】
【０００８】
この発明においては、保持体を挟持することで該保持体に係止される係止体を電源コードに設けたので、係止体が電源コードを保持している保持体を挟持することで該保持体に係止されたとき、保持体の変形が係止体により外側から制限され、しかも、挟持に基づく係止体、保持体間の結合力により、電源コードが係止体、保持体を介して連結体に保持される。この結果、電源コードの連結体からの離脱が強力に抑制され、水槽内でのケースの位置、姿勢を一定に維持することができる。
【０００９】
また、請求項２に記載のように構成すれば、係止突起が係止穴に挿入されることで、係止体の保持体からの抜けが制限され、これにより、電源コードの連結体からの離脱がさらに強力に抑制される。さらに、請求項３に記載のように構成すれば、係止突起の係止穴への挿入を目視により確認することができ、これにより、電源コードの保持を確実なものとすることができる。さらに、請求項４に記載のように構成すれば、電源コードの引き出し位置から保持体までの距離に変化があっても、係止体の電源コードに対する停止位置を調節することで、容易に対処することができる。
【図面の簡単な説明】
【００１０】
【図１】この発明の実施形態１を示す概略正面断面図である。
【図２】水温制御ユニットの一部破断正面図である。
【図３】保持体、係止体近傍の一部破断正面図である。
【図４】図２のＩ−Ｉ矢視断面図である。
【図５】図２のII−II矢視断面図である。
【図６】保持体への係止体の係止直前状態を示す、保持体、係止体近傍の一部破断正面図である。
【図７】図６のIII−III矢視断面図である。
【図８】この発明の実施形態２を示す概略正面断面図である。
【図９】図８のIV−IV矢視断面図である。
【図１０】一部が破断された図９のＶ−Ｖ矢視図である。
【発明を実施するための形態】
【００１１】
以下、この発明の実施形態１を図面に基づいて説明する。
図１、２、３において、11は観賞魚等の飼育を行う水槽であり、この水槽11内には所定量の水（淡水、海水）Ｗが貯留されている。12は水温制御ユニット13のケースであり、このケース12は内部が空洞であり、難燃性プラスチックあるいは耐熱性プラスチック等の、弾性変形しながら撓むことができる可撓性材料から構成されたケース本体14を有する。また、前記ケース本体14は一体的に形成された、直線状に延びる長手部14ａと、該長手部14ａの長手方向前端から直角に延び前記長手部14ａより短い連結体としての前短手部14ｂと、長手部14ａの長手方向後端から前記前短手部14ｂと平行に延び前記前短手部14ｂと同一長の後短手部14ｃとから構成され、全体としてコの字形を呈している。15は両端が開口した前後方向に延びる円筒状のヒータ管であり、このヒーター管15は、例えばセラミックや石英ガラス等から構成されている。そして、このヒーター管15の軸方向両端（前後端）にはそれぞれゴムやプラスチック等の絶縁材料からなるキャップ16が嵌合され、これらキャップ16により前記ヒーター管15の軸方向両端開口が閉止され、この結果、前記ヒーター管15内は密閉空間となる。前記ヒーター管15内には該ヒーター管15の軸線に沿って延びる仕切板17が配置され、この結果、前記ヒーター管15内の密閉空間は該仕切板17により半円柱状の空間に２分割される。
【００１２】
20は前記ヒーター管15内に収納された発熱体としての螺旋状に成形された電熱線であり、この電熱線20はその両端が前側のキャップ16に設けられたコネクタ21にそれぞれ接続されるとともに、その中央部が前記仕切板17によって分割された半円柱状の空間内を軸方向（前後方向）に延び、さらに、その中央が仕切板17を貫通しながらヒーター管15の後端部において折り返されている。ここで、この電熱線20は、例えば鉄・ニッケル合金、ニッケル・クロム合金、鉄・クロム合金から構成され、通電されたときに発熱して水槽11内の水Ｗを加熱する。なお、この発明においては、発熱体を、複数の抵抗器、例えば炭素皮膜抵抗器を並列接続することで構成したり、あるいは、面状発熱体、例えば、ポリイミド樹脂製シートによって両側から挟持されたステンレス箔等から構成するようにしてもよい。そして、前記電熱線20が収納されたヒーター管15はその前端部がケース本体14の前短手部14ｂに、その後端部がケース本体14の後短手部14ｃにそれぞれ密封状態で挿入連結され、これにより、ヒーター管15と長手部14ａとは平行に延びるとともに、これらの間に若干の空間が形成される。前述したヒーター管15、電熱線20は全体として、通電されたとき発熱して水槽11内の水Ｗを加熱する発熱体（電熱線20）を内部に有し、前後方向に延びる加熱ヒーター22を構成する。このように連結体としての前短手部14ｂは、加熱ヒーター22の前端部が連結されるとともに、全体が加熱ヒーター22に直交する方向に延びており、この結果、前短手部14ｂ全体が直交部となる。
【００１３】
前記ケース本体14の長手部14ａ内には制御手段23が収納され、この制御手段23はサーミスタ等から構成され水槽11内の水Ｗの温度を検出する温度センサ24を有する。そして、この制御手段23は前記温度センサ24による検出結果（検出信号）、および、後述する水温設定器27からの設定信号を基に、トライアック、サイリスタ等からなる通電制御素子を制御して、前記電熱線20に対する通電を制御し、前記水槽11内の水Ｗの温度を制御する。前述したケース本体14およびヒーター管15は全体として、前記電熱線20が（この実施形態では、温度センサ24を含む制御手段23も）密閉収納された矩形の前記ケース12を構成するが、このとき、長手部14ａの延在方向が長手方向となり、前、後短手部14ｂ、14ｃの延在方向が短手方向となる。そして、前記電熱線20、制御手段23を除くケース本体14、ヒーター管15内の空間には絶縁砂あるいはシーリング剤が充満されており、これにより、ケース12内における電熱線20、制御手段23の姿勢、位置が一定に保持されている。前述したケース12、電熱線20、制御手段23は全体として、前述の水温制御ユニット13を構成する。26は前記水槽11から離れて設置された第１コードであり、この第１コード26の基端には水温設定器27が設けられ、一方、その先端には交流電源に接続されるプラグ28が連結されている。ここで、前記第１コード26は電源用導線のみの２芯構造となっている。
【００１４】
図１〜５において、31は基端が連結体としての前短手部14ｂの前側側壁25で電熱線20から離隔した一端部に連結された電源コードとしての第２コードであり、この第２コード31は複数の導線をポリ塩化ビニル、クロロプレンゴム等のシース材で被覆したもので屈曲可能である。そして、前記第２コード31の先端は前記水温設定器27に連結される一方、該第２コード31には前記水温設定器27内において第１コード26の電源用導線に一端が接続された２本の電源用導線32ａ、32ｂが埋設され、これらの電源用導線32ａ、32ｂの他端部はケース本体14内を延びて一方のコネクタ21および制御手段23（通電制御素子）にそれぞれ接続されている。32ｃは一端が他方のコネクタ21に、他端が制御手段23（通電制御素子）にそれぞれ接続された電源用導線である。また、前記第２コード31には前記電源用導線32ａ、32ｂに沿って延びる信号用導線33ａ、33ｂが埋設され、これら信号用導線33ａ、33ｂの一端は水温設定器27に接続され、その他端部はケース本体14内を延びて制御手段23に接続されている。このように前記第２コード31は４芯構造で、ケース12の側面（前短手部14ｂの前側側壁25）から引き出されるとともに、前記電熱線20に電力を供給することができる。
【００１５】
そして、前記水温設定器27の設定ダイヤル34により設定された設定信号が前記信号用導線33ａ、33ｂを通じて制御手段23に、また、温度センサ24からの検出信号が制御手段23に伝達されると、該制御手段23は通電制御素子を制御し、電熱線20に対し通電を行ったり、あるいは、通電を遮断し、水Ｗの水温を設定温度に調節する。なお、この実施形態のものは、図示をしていないが、前記制御手段23の他に電熱線20が気中通電してヒーター管15、電熱線20が異常温度まで上昇したとき、電熱線20への通電を遮断する異常遮断手段が設けられており、電熱線20の気中通電を回避するようにしている。ここで、このような異常遮断手段としては、例えば、バイメタル式のサーマルプロテクター、異常温度となったとき溶断する温度ヒューズ、あるいは、前述した制御手段23と同様構造のものを用いることができる。また、この発明においては、水Ｗの温度を検出する温度センサを制御手段から分離するとともに、ケース12外に設置し、該温度センサによって検出した水Ｗの温度（検出結果）を制御手段に出力するようにしてもよい。36はケース本体14の裏面に取り付けられた複数の吸着体としてのキスゴムであり、これらのキスゴム36は水槽11の側壁内面を吸着することでケース12を水槽11の側壁に付着させる。
【００１６】
ここで、前述のような水温制御ユニット13は状況に応じて水槽11の水Ｗ内に、図１に実線で示すようにその長手方向がほぼ水平となる横置きで設置したり、仮想線で示すようにその短手方向がほぼ水平となる縦置きで設置するが、前述の縦置きで設置する場合には、ほぼ水平となった前短手部14ｂから引き出された第２コード31が上方に向かって直線的に延びるため、第２コード31から水温制御ユニット13に余計な外力が付与されることはなく、水温制御ユニット13が設置初期の位置、姿勢からずれるようなことはない。しかしながら、水温制御ユニット13を前述した横置きで設置する場合には、第２コード31がほぼ垂直となった前短手部14ｂからほぼ水平に引き出されるため、引き出された第２コード31を途中で上方に向かうようほぼ直角に屈曲させるとともに、この屈曲状態を保持する必要がある。
【００１７】
このため、この実施形態においては、軸線が前短手部（連結体）14ｂに沿ってケース本体14の短手方向に延びる略円筒状の保持体40をケース本体14の前短手部14ｂに一体形成により設けたが、この保持体40は前短手部14ｂの直交部（加熱ヒーター22に対して直交している部位で、ここでは前短手部14ｂ全体）で、前記第２コード31の引き出し位置から大きく離れた部位（前短手部14ｂの他端部）に前側に向かって突出するよう設けられている。そして、この保持体40は、前記前短手部14ｂに一体的に形成されていることから、屈曲可能な可撓性材料から構成されることになり、また、その内部には軸方向両端が開口した断面円形の収納孔42が形成されている。そして、前記保持体40の前短手部14ｂに連続する部位から半周離れた突出端（前端）には軸方向に延びる一定幅のスリット41が形成されているが、該スリット41の幅は第２コード31の外径より小である。この結果、第２コード31の途中を保持体40の先端に接触させながらスリット41を通じて保持体40内の収納孔42に押し込むと、保持体40はスリット41の幅が広がることにより拡開（変形）した後、弾性復元力により初期の略円筒状に復帰し、第２コード31の途中が保持体40によって外側から抱え込まれて挟持され、該保持体40に保持される。このとき、第２コード31の外径は収納孔42の内径と実質的に同一径であるが、スリット41の幅は第２コード31の外径より小であるため、保持体40によって周囲から挟持された（抱え込まれた）第２コード31は保持体40に周上の広い範囲で保持され、比較的大きな外力を付与しない限り抜け出ることはない。なお、前記スリットは保持体内に第２コード31を押し込むことができるのであれば、周上の他の場所に設けるようにしてもよい。
【００１８】
このようにケース12の前短手部14ｂに設けられた保持体40は第２コード31を挟持することで保持することができるため、第２コード31をその長手方向の途中において前短手部14ｂの前記直交部に沿って他側（上方）に延びるようほぼ直角に屈曲させるとともに、この屈曲させた状態で第２コード31を保持体40内に押し込んで該保持体40に保持させれば、前述のように水温制御ユニット13を横置きとしても、第２コード31はケース12の前短手部14ｂから上方に向かって延びることとなり、ケース12を横置きの状態で問題なく使用することができる。そして、前述のように水温制御ユニット13を横置きで設置する場合には、電熱線20からの熱が制御手段23の温度センサ24に影響を与えないよう、制御手段23が下側に、電熱線20が上側となるよう設置する。なお、この実施形態においては、保持体40をケース本体14の前短手部14ｂに一体形成することで、該ケース本体14と同一の変形可能な可撓性材料から構成したが、この発明においては、保持体とケース本体（前短手部）とを別体とするとともに、保持体をケース本体に接着剤、あり結合、ねじ結合等により固着するようにしてもよい。この場合には、ケース本体（連結体）を、可撓性材料である保持体とは異なる材料、例えば、金属、硬質ブラスチック、セラミック等から構成することができる。
【００１９】
ここで、前述の第２コード31は屈曲可能で、しかも、外径が比較的大きいため、保持体40による第２コード31の挟持（抱え込み）のみによって第２コード31のケース12（前短手部14ｂ）に対する延在方向を規定しようとすると、第２コード31の屈曲状態から直線状態への大きな復元力や、第２コード31に対する予期しない大きな外力により、第２コード31が保持体40から離脱し、これにより、水槽11内での水温制御ユニット13の位置、姿勢に狂いが生じてしまうことがある。このため、この実施形態では、前記保持体40を挟持することで該保持体40に係止される係止体48を第２コード31の外側に設けたのである。ここで、この係止体48は内径が第２コード31の外径と実質上同径で周方向に切れ目のない円筒状の円筒部49を有し、この円筒部49内には前記第２コード31が面接触の状態で挿入されている。また、前記係止体48は円筒部49に一体的に形成され内径が前記保持体40の外径と実質上同径である略円筒状の嵌合部50を有し、この嵌合部50の内部には軸方向両端が開口するとともに、前記第２コード31と同軸である嵌合孔51が形成されている。この結果、前記嵌合部50と第２コード31との間には保持体40と略同一形状の空間が形成されるが、この空間は、前記嵌合部50に形成され、幅が保持体40の外径より小であって軸方向に延びるスリット52に連通している。前述した円筒部49、嵌合部50は全体として、前記第２コード31の外側に設けられた係止体48を構成し、この係止体48は保持体40と同様の屈曲可能な可撓性材料から構成されている。
【００２０】
そして、前記係止体48の嵌合部50の先端（周方向両端）を保持体40に接触させながらスリット52を通じて保持体40の外側に該嵌合部50（係止体48）を嵌合させると、係止体48の嵌合部50はスリット52の幅が広がることにより拡開（変形）した後、弾性復元力により初期の略円筒状に復帰する。これにより、係止体48（嵌合部50）は嵌合孔51に嵌入された保持体40を挟持することで該保持体40に係止される。このとき、保持体40の外径は嵌合部50の内径と実質上同径であるが、スリット52の幅は保持体40の外径より小であるため、保持体40に保持された第２コード31は該保持体40の外側に嵌合係止された嵌合部50（係止体48）によってさらに強力に保持体40に保持される。このように第２コード31に、保持体40を外側から抱え込みながら挟持することで該保持体40に係止される係止体48（嵌合部50）を設けたので、該係止体48（嵌合部50）が第２コード31を保持している保持体40を挟持することで保持体40に係止されたとき、保持体40の変形が係止体48（嵌合部50）により外側から強力に制限され、しかも、挟持（抱え込み）に基づく係止体48、保持体40間の結合力により、第２コード31が係止体48、保持体40を介してケース12の前短手部14ｂに保持される。この結果、第２コード31のケース12（前短手部14ｂ）からの離脱がより強力に抑制され、水槽11内での水温制御ユニット13の位置、姿勢を容易に一定に維持することができる。
【００２１】
53は保持体40の軸方向中央部外周に設けられた複数（ここでは２個）の釣り鐘状を呈する係止突起であり、これらの係止突起53は保持体40の外周から半径方向外側に向かって突出するとともに、スリット41の幅方向中央から 1/4周程度周方向に離れて配置されている。54は前記嵌合部50の軸方向中央部内周に形成された複数（ここでは係止突起53と同数である２個）の係止穴であり、これらの係止穴54は前記係止突起53と同一角度だけ周方向に離れている。そして、前記係止体48を保持体40の外側に嵌合するとき、係止突起53と係止穴54との位置を合致させることで係止穴54内に係止突起53をそれぞれ挿入するようにすれば、係止体48の保持体40からの抜けが制限され、これにより、第２コード31の保持体40（前短手部14ｂ）からの離脱がさらに強力に抑制される。なお、この実施形態においては、係止突起53、係止穴54を周方向にほぼ半周離して２個設けたが、この発明においては、１個あるいは３個以上設けるようにしてもよく、また、係止突起の形状を軸方向に延びた突条とし、係止穴の形状を前記突条が挿入される溝、スリットとしてもよい。さらに、前述の実施形態においては、保持体40に係止突起53を、係止体48に係止穴54を設けたが、この発明においては、保持体に係止穴を、係止体に係止突起を設けるようにしてもよく、要するに、保持体または係止体のいずれか一方に係止突起を、保持体または係止体の残り他方に前記係止突起が挿入される係止穴を設ければよい。
【００２２】
ここで、前記係止穴54は係止体48（嵌合部50）を半径方向に貫通する貫通孔としているが、このように係止穴54を貫通孔とすると、係止突起53の係止穴54への挿入を外側から目視により確認することができ、これにより、第２コード31の保持を確実なものとすることができる。また、この実施形態では、前記係止体48（円筒部49）をある程度の滑り抵抗を維持しながら第２コード31の外側に嵌合させているため、該係止体48を第２コード31に沿って移動させることで、係止体48の第２コード31に対する停止位置を調節することができる。これにより、ケース12（前短手部14ｂ）の形状、大きさに変更があって、第２コード31のケース本体14（前短手部14ｂ）からの引き出し位置から保持体40までの距離が変化しても、係止体48の第２コード31に対する停止位置を調節することで、容易に対処することができる。57は保持体40より一側の前短手部14ｂに一体形成された補助体であり、この補助体57はその前側部に前記保持体40の前側部と同一断面形状である一対の円弧部58を有し、これら円弧部58は保持体40と軸方向に重なり合った位置で保持体40に連続して延びており、この結果、これら円弧部58の先端間には前記スリット41と同一幅のスリット59が形成されている。また、前記補助体57内には第２コード31が収納される保持孔60が形成されており、この保持孔60にスリット59を通じて第２コード31が押し込まれると、第２コード31は補助体57によって挟持され（外側から抱え込まれ）補助的に保持される。
【００２３】
次に、前記実施形態１の作用について説明する。
前述した水温制御装置を用いて水温の制御を行う場合には、水温制御ユニット13を水槽11内の水Ｗに沈めるとともに、水温設定器27によって水Ｗが希望する水温となるよう温度設定を行う。そして、温度センサ24によって測定した水Ｗの温度が設定温度未満であると、制御手段23の通電制御素子がオンとなるため、第１、第２コード26、31を通じて電熱線20に通電され、これにより、電熱線20が発熱して水槽11内の水Ｗが加熱される。一方、前記水Ｗの温度が加熱によって設定温度以上に上昇すると、制御手段23の通電制御素子がオフとなり、電熱線20への通電が遮断される。このようにして水槽11内の水Ｗは設定温度に制御される。そして、このような温度制御は水温制御ユニット13が図１に実線で示すような横置きであっても、仮想線で示すような縦置きであっても同様に行われる。
【００２４】
ここで、前記水温制御ユニット13が縦置きである場合には、ほぼ水平となった前短手部14ｂから引き出された第２コード31は上方に向かって直線的に延びるため、第２コード31から水温制御ユニット13に余計な外力が付与されることは殆どなく、水温制御ユニット13が設置初期の位置、姿勢からずれることはない。しかしながら、水温制御ユニット13を横置きで設置する場合には、第２コード31がほぼ垂直となった前短手部14ｂからほぼ水平に引き出されるため、引き出された第２コード31を、図２に示すように、途中で上方に向かうようほぼ直角に屈曲させることで前短手部14ｂ（直交部）に沿って延在させるとともに、この屈曲した状態を保持する必要がある。この場合には、第２コード31を引き出し位置近傍において屈曲させることで、該屈曲位置より水温設定器27側の第２コード31を前短手部14ｂ（前側側壁25）に接近させ、保持体40の軸線に向かって半径方向内側に移動させる。そして、前記第２コード31が前短手部14ｂから若干離れた位置まで接近したとき、係止体48より引き出し位置側の第２コード31を円弧部58の先端に接触させながらスリット59を通じて補助体57の保持孔60内に押し込むと、円弧部58はスリット59の幅が広がることにより拡開（変形）した後、弾性復元力により初期形状に復帰し、これにより、第２コード31が補助体57により両側から挟持される。ここで、前述した嵌合動作の直前における係止体48の状態を図６、７に示す。
【００２５】
次に、係止体48を保持体40にさらに接近させると、係止体48（円筒部49）に挿入保持されている第２コード31は、保持体40の突出端に接触しながらスリット41を通じて保持体40内に押し込まれる。このとき、保持体40はスリット41の幅が広がることにより拡開（変形）した後、弾性復元力により初期の略円筒状に復帰し、これにより、第２コード31が保持体40によって挟持され該保持体40に嵌合される。一方、係止体48の嵌合部50は周方向両端が保持体40に接触しながらスリット52を通じて保持体40が内部に侵入することで、該保持体40の外側に嵌合されるが、このとき、前記嵌合部50はスリット52の幅が広がることにより拡開（変形）した後、弾性復元力により初期の略円筒状に復帰し、これにより、係止体48（嵌合部50）は嵌合孔51に嵌入された保持体40を挟持することで該保持体40に係止される。このように係止体48（嵌合部50）が第２コード31を保持している保持体40を挟持することで該保持体40に係止されると、保持体40の変形が係止体48（嵌合部50）により外側から制限され、しかも、係止体48と保持体40との嵌合による結合力により、係止体48に保持されている第２コード31は保持体40を介してケース12に連結され、この結果、第２コード31のケース12（前短手部14ｂ）からの離脱がより強力に抑制される。
【００２６】
また、このとき、係止突起53と係止穴54との位置を合致させることで、係止穴54内に係止突起53をそれぞれ挿入すれば、係止体48の保持体40からの抜けが制限され、これにより、第２コード31の保持体40（ケース12の前短手部14ｂ）からの離脱がさらに強力に抑制される。そして、このような状態の水温制御ユニット13を横置きで水Ｗ内に沈めて使用するが、前述のように第２コード31の保持体40（ケース12）からの離脱が強力に抑制されているため、水槽11内での水温制御ユニット13（前短手部14ｂ、加熱ヒーター22）の位置、姿勢を容易に一定に維持することができ、水Ｗの温度制御が容易となる。このように、この実施形態の水温制御装置においては、縦置き、横置きの姿勢を簡単な作業で入れ替えることができるとともに、入れ替えられた姿勢を確実に保持しながら水Ｗの水温を容易に制御することができる。
【００２７】
次に、この発明の実施形態２を説明する。図８、９、１０において、65は前記加熱ヒーター22と同様構造の前後方向に延びる加熱ヒーターであり、この加熱ヒーター65は通電されたとき発熱して水槽11内の水Ｗを加熱する前記電熱線20と同様の電熱線（発熱体）を内部に有するとともに、水槽11の側壁内面を吸着するキスゴム64により一定位置、一定姿勢に維持されている。66は前記加熱ヒーター65の前端部に連結された連結体であり、この連結体66は前記加熱ヒーター65の前端部の外側に嵌合固定され該加熱ヒーター65と同軸である円筒状の嵌合部66ａと、加熱ヒーター65に直交する方向に延びる直交部66ｂと、前記嵌合部66ａと直交部66ｂとを連結する弧状の弧状部66ｃとから構成され、これら嵌合部66ａ、直交部66ｂ、弧状部66ｃは一体形成されるとともに、前記連結体としての前短手部14ｂと同様に可撓性材料から構成されている。このようにこの実施形態では連結体66の一部である直交部66ｂのみが加熱ヒーター65に対し直交する方向に延びているが、この発明においては、少なくとも一部が加熱ヒーターに対し直交する方向に延びていればよい。
【００２８】
69は水槽11から離れて設置されたコントロールケースであり、このコントロールケース69には前記第１コード26、プラグ28と同様の第１コード70、プラグ71が接続されている。72は水槽11内の水Ｗの温度を検出する温度センサであり、この温度センサ72は水槽11の側壁内面を吸着するキスゴム73により一定位置、一定姿勢で保持されている。前記コントロールケース69内には前記制御手段23と同様（温度センサ24を除く）の図示していない制御手段が収納され、この制御手段には温度センサ72が検出した水Ｗの温度が検出コード74を通じて検出信号として出力される。75は前記加熱ヒーター65から引き出された電源コードとしての屈曲可能な第２コードであり、この第２コード75は前記加熱ヒーター65内の電熱線と前記制御手段とを接続するとともに、その途中に抜き差し可能な継手76が設置され、前記電熱線に電力を供給することができる。そして、前記制御手段は前記温度センサ72による検出結果（検出信号）、および、コントロールケース69に設けられた水温設定器からの設定信号を基に通電制御素子を制御して、電熱線に対する通電を制御し、前記水槽11内の水Ｗの温度を設定温度に制御する。なお、この実施形態においても、前述と同様に加熱ヒーター65の電熱線が気中通電状態となったとき、該電熱線への通電を遮断する異常遮断手段が設けられている。
【００２９】
そして、前述の加熱ヒーター65は、図８に実線で示すように横置きで設置したり、仮想線で示すように縦置きで設置して使用することができるが、前述の横置きで設置する場合には、第２コード75が加熱ヒーター65からほぼ水平に引き出されるため、引き出された第２コード75をその途中で上方に向かうよう直角に屈曲させるとともに、この屈曲状態を保持する必要がある。このため、この実施形態では、前記保持体40と同様の保持体79を第２コード75の引き出し位置から大きく離れた連結体66の直交部66ｂの他端部に設けている。ここで、前記保持体79は内部に前記収納孔42と同様の収納孔80が形成され、また、その突出端にはスリット41と同様のスリット81が形成されている。この結果、第２コード75の途中をスリット81を通じて収納孔80に押し込むと、該第２コード75は保持体79により外側から挟持され、これにより、連結体66の直交部66ｂに沿って延びるよう屈曲した状態で保持体79に保持される。ここで、第２コード75の直線状態への大きな復元力や、第２コード75に対し予期しない大きな外力が付与されると、第２コード75が保持体79から離脱することがある。
【００３０】
このため、この実施形態では、前記保持体79を外側から挟持することで該保持体79に係止される係止体84を第２コード75の外側に設けたのである。ここで、前記係止体84は略長円板形で第２コード75が面接触した状態で挿入された板状部84ａと、該板状部84ａの両端に一体形成され断面弧状で第２コード75に沿って延びる一対の爪部84ｂとから構成され、これらの爪部84ｂと前記第２コード75との間には前記保持体79が嵌合される円弧状の空間が形成される。なお、この係止体84は保持体79と同様の屈曲可能な可撓性材料から構成されている。そして、第２コード75が保持体79により保持されているとき、前記係止体84を第２コード75に摺接させながら保持体79に向かって該保持体79の軸方向に移動させると、爪部84ｂは保持体79の外周面に摺接しながら保持体79の外側に嵌合される。その後、板状部84ａが保持体79に当接すると、該係止体84の移動を停止させるが、このとき、係止体84は保持体79を両側から挟持する（抱え込む）ことで該保持体79に係止される。
【００３１】
これにより、保持体79の変形が係止体84により外側から強力に制限され、しかも、前記挟持に基づく保持体79、係止体84間の結合力により、第２コード75が係止体84、保持体79を介して連結体66に保持される。この結果、第２コード75の連結体66からの離脱がより強力に抑制され、加熱ヒーター65が水槽11内に横置きで設置されている場合でも、該加熱ヒーター65の位置、姿勢を容易に一定に維持することができる。85は前記連結体66の弧状部66ｃに一体形成された補助体であり、この補助体85は前記保持体79と断面形状が同一で、直交部66ｂから嵌合部66ａまで延びている。そして、この補助体85内に第２コード75が押し込まれたとき、該補助体85は第２コード75を外側から挟持して補助的に保持する。なお、この実施形態においても、前記実施形態と同様に、保持体または係止体のいずれか一方に係止突起を、保持体または係止体の残り他方に前記係止突起が挿入される係止穴を設けるようにしてもよい。また、他の構成、作用は前記実施形態１と同様である。
【産業上の利用可能性】
【００３２】
この発明は、観賞魚等を飼育する水槽の水温制御の産業分野に適用できる。
【符号の説明】
【００３３】
11…水槽                   14ｂ…連結体
20…発熱体                 22…加熱ヒーター
23…制御手段               24…温度センサ
31…電源コード             40…保持体
48…係止体                 53…係止突起
54…係止穴                 Ｗ…水
【図１】
2018068214.tif 000003
【図２】
2018068214.tif 000004
【図３】
2018068214.tif 000005
【図４】
2018068214.tif 000006
【図５】
2018068214.tif 000007
【図６】
2018068214.tif 000008
【図７】
2018068214.tif 000009
【図８】
2018068214.tif 000010
【図９】
2018068214.tif 000011
【図１０】
2018068214.tif 000012